(57)【要約】【課題】黒板に記入した文字等が、衣服や物に擦れたり、雨に濡れたりしても消えることなく、かつ黒板が雨に濡れた状態でもはっきり文字等を書くことができ、さらに、濡れた状態でも黒板記載の文字等をはっきり写真に写し込むことができる工事写真撮影用黒板を提供する。【解決手段】すりガラス状に加工され、その上に石油系又は植物系油脂が塗り込まれた堅牢なプラスチック板等を表面素材とする黒板本体と、着色合成ワックス製練棒筆記具との組合せ、さらには油脂含有消し具との組合せによる。【選択図】図１
0003116384.tif 000002
【実用新案登録請求の範囲】
【請求項１】
工事現場等に表示される黒板において、黒板本体の表面素材には、すりガラス状に加工を施したプラスチック製板又は金属製板に石油系又は植物系油脂を塗り込んだものを使用し、筆記具には動物性油脂含有着色合成ワックス製練棒を使用、消し具には石油系又は植物系油脂を染み込ませた布やフェルトをそれぞれ使用した工事写真撮影用黒板と筆記具の組合せ、及び消し具の組合せ。
【請求項２】
請求項１で、黒板本体の表面素材を、黒板本体の裏面にも固定し、両面使用が可能な工事写真撮影用黒板。
【考案の詳細な説明】
【技術分野】
【０００１】本考案は、工事現場等において、工事名、施工過程、出来型、略図等を記載して、工事写真に一緒に写し込むための工事写真撮影用黒板に関するものである。
【背景技術】
【０００２】従来の工事写真撮影用黒板は、片面にベニヤ板等を貼り、その上に黒板用塗料を塗装しただけのもので、筆記具には白墨を使用し、消し具には布製の小さな黒板消しを使用するという組合せのものであった。
【考案の開示】
【考案が解決しようとする課題】
【０００３】しかし、従来の工事写真撮影用黒板は、屋外使用や携帯使用を考慮した利便性や降雨対策に大きく欠けるものであり、具体的には、筆記具が白墨しか使用できないため、黒板表面に白墨による傷や消し粉による白い汚れが付き易く、白墨で記入した文字等が非常に見え難くなったり、また黒板保持中において、白墨で記入した文字等に誤って触ったり服で擦ったりすると、簡単にそれらが消えてしまい、再び書き直すことになったり、さらに降雨時においては黒板に記入した白墨の文字等が雨で流れて消えてしまったり、一度黒板が濡れてしまうと完全に乾燥するまで白墨で記入することができなくなってしまうなどの理由から、工事写真撮影用黒板としての機能に問題があった。【０００４】また、工事写真撮影時において、１箇所で数種類の写真を撮る必要性から、片面しか無い黒板１枚のみの使用では、撮影対象ごとに書いたり消したりを繰り返さなければならず、そのため２枚も３枚も黒板を携帯しなければならないという問題もあった。【０００５】本考案が解決しようとする課題は、黒板に記入した文字等が、衣服や物に擦れたり、雨に濡れたりしても消えることなく、かつ黒板が雨に濡れた状態でもはっきり文字等を書くことができ、さらに、濡れた状態でも黒板記入の文字等をはっきり写真に写し込むことができる工事写真撮影用黒板の提供をすることにある。【０００６】また、黒板の携帯数を半減するため、表裏両面が使用できる工事写真撮影用黒板を提供することもできる。
【課題を解決するための手段】
【０００７】上記課題を解決するために、本考案の工事写真撮影用黒板本体は、文字等が記入される表面素材に堅牢なプラスチック板または金属板が使用され、その表面には、すりガラス状に無数の超微細凹凸の加工が施されていて、筆記具との擦り合せが考慮され、写真撮影時の鏡面反射を押さえる特徴も有している。【０００８】同黒板本体に使用する筆記具においては、動物性油脂含有着色合成ワックス製練棒が用いられていることで、記入された文字等が消えにくく、同練棒の水を弾く性質を利用することで、黒板表面が濡れていても文字等が容易に記入できる特徴を有している。【０００９】また、同黒板本体には、上記練棒で記入された黒板表面の文字等を容易に消去できるようにするため、石油系油脂又は植物系油脂を染み込ませた布製又はフェルト製の消し具が具備されており、さらには、より容易に消去できるようにするため、同黒板本体表面のすりガラス状に加工された超微細凹凸の凹部には、石油系油脂又は植物系油脂があらかじめ塗り込まれていて、そのため同黒板本体は、表面張力及び滴下現象により雨天時の写真撮影も可能とした特徴をも合わせ持っていて、黒板本体と筆記具がセットとなり、また消し具がセットとなった工事写真撮影用黒板が提供される。【００１０】また、すりガラス状に加工された上記表面素材を、黒板本体の表裏両面に固定することで、黒板両面を使用することもできる。
【実施例】以下、図面に基づき、本考案の実施例を説明する。【００１１】図１は、本考案の工事写真撮影用黒板本体の斜視図である。同図において、本考案の工事写真撮影用黒板本体は、表面素材１と同素材を固定するための周縁部２、黒板本体を持ったり吊り下げたりするための取っ手３、黒板本体を起立させるための脚４、筆記具及び消し具を格納するための格納体５を有している。【００１２】表面素材１には、アクリル製ダークグレー色硬質プラスチック板が使用されていて、その表面部はすりガラス状に凹凸に加工されており、工事名、撮影日、施工会社名、枠線などが印刷され、さらには凹部に石油系油脂が塗り込まれている。【００１３】周縁部２には、防水性を考慮した発砲プラスチック製偽木、取っ手３には引き出し用ステンレス製の取っ手具がそれぞれ使用されており、また格納体５には上部を折り曲げた薄い透明プラスチック板が使用されていて、黒板本体を逆さにしても筆記具等が落ちることはない。【００１４】筆記具については、白色合成ワックス製練棒が使用されるが、市販のクレパス（登録商標）等を代用することもできるし、消し具については、フェルト製の消し具が使用されるが、市販のホワイトボード用消し具に石油系油脂又は植物系油脂を染み込ませた物を代用することもできる。【００１５】図２は、図１の実施例裏面にも表面素材１を固定した工事写真撮影用黒板本体の斜視図である。表面素材１を固定する周縁部２、黒板本体を持ったり吊り下げたりするための取っ手３、黒板本体を起立させるための脚４、筆記具及び消し具を格納する格納体５をそれぞれ有しており、素材や仕様は図１の黒板本体と同様であるが、脚４は黒板本体の両脇に具備され、格納体５は黒板本体の片脇低部に開口部が設けられ、回転スライド式の透明プラスチック製蓋が具備されている。
【考案の効果】
【００１６】本考案は、工事現場において工事写真を撮影する際、これまで写真撮影を断念してきた雨天時や降雪時の撮影を一気に解決することができると共に、さらには下水道工事や水道工事、河川工事や護岸工事などの水に影響されやすい工事現場においても、黒板の水濡れを気にせず、安心して写真撮影ができることで、これら関連産業の効率的な運用に寄与することができる。
【図面の簡単な説明】
【００１７】
【図１】本考案の実施例である工事写真撮影用黒板本体の斜視図で、（ａ）は表面図、（ｂ）は裏面図である。
【図２】図１の黒板本体裏面にも表面素材を固定した、両面使用黒板本体の斜視図である。
【図３】（ｃ）は、動物性油脂含有着色合成ワックス製練棒筆記具、（ｄ）は、石油系又は植物系油脂を染み込ませた消し具の斜視図である。
【符号の説明】
【００１８】  １  表面素材
２  周縁部
３  取っ手
４  脚
５  格納部
【図１】
0003116384.tif 000003
【図２】
0003116384.tif 000004
【図３】
0003116384.tif 000005
【手続補正書】
【提出日】平成17年6月16日(2005.6.16)
【手続補正１】
【補正対象書類名】実用新案登録請求の範囲
【補正対象項目名】請求項１
【補正方法】変更
【補正の内容】
【請求項１】
工事現場等に表示される黒板において、黒板本体の表面素材には、すりガラス状に加工を施したプラスチック製板又は金属製板に石油系又は植物系油脂を塗り込んだものを使用し、筆記具には動物性油脂含有着色合成ワックス製練棒を使用し、消し具にはメラミンフォーム又は電気植毛クロス又はフェルトをそれぞれ使用した工事写真撮影用黒板本体と筆記具及び消し具の組合せ。
【手続補正２】
【補正対象書類名】明細書
【補正対象項目名】０００９
【補正方法】変更
【補正の内容】
【０００９】また、同黒板本体には、上記練棒で記入された黒板表面の文字等を容易に消去できるようにするため、メラミンフォーム又は電気植毛クロス又はフェルトを使用した消し具が具備されており、さらには同黒板本体表面のすりガラス状に加工された超微細凹凸部には、石油系油脂又は植物系油脂があらかじめ塗り込まれていて、そのため同黒板本体は、表面張力及び滴下現象により雨天時の写真撮影も可能とした特徴をも合わせ持っていて、黒板本体と筆記具及び消し具がセットとなった工事写真撮影用黒板が提供される。
【手続補正３】
【補正対象書類名】明細書
【補正対象項目名】００１３
【補正方法】変更
【補正の内容】
【００１３】周縁部２には、防水性を考慮した発泡プラスチック製偽木、取っ手３には引き出し用ステンレス製の取っ手具がそれぞれ使用されており、また格納体５には上部を折り曲げた薄い透明プラスチック板が使用されていて、黒板本体を逆さにしても筆記具等が落ちることはない。
【手続補正４】
【補正対象書類名】明細書
【補正対象項目名】００１４
【補正方法】変更
【補正の内容】
【００１４】筆記具については、白色合成ワックス製練棒が使用されるが、市販のクレパス（登録商標）等を代用することもできるし、消し具については、メラミンフォーム製の消し具が使用されるが、市販のホワイトボード用消し具に石油系油脂又は植物系油脂を染み込ませた物を代用することもできる。
【手続補正５】
【補正対象書類名】明細書
【補正対象項目名】００１７
【補正方法】変更
【補正の内容】
【００１７】
【図３】（ｃ）は、動物性油脂含有着色合成ワックス製練棒筆記具、（ｄ）は、メラミンフォームを固定した消し具の斜視図である。
【手続補正書】
【提出日】平成17年9月1日(2005.9.1)
【手続補正１】
【補正対象書類名】明細書
【補正対象項目名】００１７
【補正方法】変更
【補正の内容】
【００１７】
【図１】本考案の実施例である工事写真撮影用黒板本体の斜視図で、（ａ）は表面図、（ｂ）は裏面図である。
【図２】図１の黒板本体裏面にも表面素材を固定した、両面使用黒板本体の斜視図である。
【図３】（ｃ）は、動物性油脂含有着色合成ワックス製練棒筆記具、（ｄ）は、メラミンフォームを固定した消し具の斜視図である。